(57)【特許請求の範囲】
【請求項１】
水上の保全対象の周りを平面視して取り囲むように設置して保全領域を形成可能な水上フェンスであって、
上下方向を長手方向とする浮力体を複数並べてなる、防護壁と、
前記防護壁の周方向に緊張力を導入可能な、拘束材と、
前記防護壁の内側に、前記保全対象を留め置くための保持空間を形成する、位置決め材と、
を少なくとも具備し、
前記位置決め材が、少なくとも三本以上の長尺材からなり、
前記各長尺材は、前記防護壁の内側で平面視して互いに交差するように、前記防護壁または前記拘束材に取り付けてあり、
前記長尺材で囲まれた空間を前記保持空間としてあることを特徴とする、
水上フェンス。
【請求項２】
水上の保全対象の周りを平面視して取り囲むように設置して保全領域を形成可能な水上フェンスであって、
上下方向を長手方向とする浮力体を複数並べてなる、防護壁と、
前記防護壁の周方向に緊張力を導入可能な、拘束材と、
前記防護壁の内側に、前記保全対象を留め置くための保持空間を形成する、位置決め材と、
を少なくとも具備し、
前記位置決め材が、
平面方向に開閉可能なゲートを設けた、リング材と、
前記リング材から平面視放射方向に延伸して前記浮力体または前記拘束材に取り付け可能な、横材と、からなり、
前記リング材の内側を前記保持空間としてあることを特徴とする、
水上フェンス。
【請求項３】
前記防護壁の下部に接続して水中で展開される、スカートを更に具備したことを特徴とする、
請求項１または２に記載の水上フェンス。
【請求項４】
請求項１に記載の水上フェンスの構築方法であって、
前記保全対象が、水面を挟んで上下に連続する物体であり、
構築前の前記防護壁の内側へと前記保全対象を導入してから、前記防護壁を構築し、
前記防護壁の内側に、前記三本以上の長尺材をそれぞれ長手方向が異なるように取り付けて形成した前記保持空間に、前記保全対象を留め置いたことを特徴とする、
水上フェンスの構築方法。
【請求項５】
前記保全対象が、投錨してある船舶のアンカーであることを特徴とする、
請求項４に記載の水上フェンスの構築方法。
【請求項６】
前記三本以上の長尺材のうち、少なくとも一本を除いた長尺材を予め防護壁に取り付けておき、
前記防護壁の内側に前記保全対象を導入してから、残る長尺材を取り付けて、前記保持空間を形成することを特徴とする、
請求項４または５に記載の水上フェンスの構築方法。
【発明の詳細な説明】
【技術分野】
【０００１】
本発明は、水上の保全対象の周りを平面視して取り囲むように設置する水上フェンスに関する。
【背景技術】
【０００２】
水上にある構造物、物体、油の流出箇所などを保全対象として、当該保全対象の周りを平面して取り囲むように水中に壁を設置することで保全する装置として、オイルフェンスや、以下の特許文献１に係るフェンスなどが知られている。
【先行技術文献】
【特許文献】
【０００３】
【特許文献１】特開２００７−２２３５７７号公報
【発明の概要】
【発明が解決しようとする課題】
【０００４】
特許文献１に記載のフェンスでは、以下に記載する問題のうち、少なくとも何れか１つの問題を有している。
（１）港湾閉鎖、潜水艇防護柵、喫水線保護など、比較的広範囲にわたって設置することを想定しており、保全領域が比較的狭い閉塞空間である場合についての適用は想定していない。
（２）浮体、柱、壁（網又は膜）がそれぞれ別部材で構成されていることから、施工コストの圧縮や、施工作業の効率化に限界がある。
（３）水底に設置するアンカー等を設けない限り、フェンスが水上を漂って保全対象との位置ズレまたは変形を引き起こす場合がある。
【０００５】
よって、本発明は、比較的狭い保全領域において、低コストで水上フェンスを構築可能な手段の提供を目的の一つとするものである。
【課題を解決するための手段】
【０００６】
上記課題を解決すべくなされた本願の第１発明は、水上の保全対象の周りを平面視して取り囲むように設置して保全領域を形成可能な水上フェンスであって、上下方向を長手方向とする浮力体を複数並べてなる、防護壁と、前記防護壁の周方向に緊張力を導入可能な、拘束材と、前記防護壁の内側に、前記保全対象を留め置くための保持空間を形成する、位置決め材と、を少なくとも具備し、前記位置決め材が、少なくとも三本以上の長尺材からなり、前記各長尺材は、前記防護壁の内側で平面視して互いに交差するように、前記防護壁または前記拘束材に取り付けてあり、前記長尺材で囲まれた空間を前記保持空間としてあることを特徴とする。
また、本願の第２発明は、水上の保全対象の周りを平面視して取り囲むように設置して保全領域を形成可能な水上フェンスであって、上下方向を長手方向とする浮力体を複数並べてなる、防護壁と、前記防護壁の周方向に緊張力を導入可能な、拘束材と、前記防護壁の内側に、前記保全対象を留め置くための保持空間を形成する、位置決め材と、を少なくとも具備し、前記位置決め材が、平面方向に開閉可能なゲートを設けた、リング材と、前記リング材から平面視放射方向に延伸して前記浮力体または前記拘束材に取り付け可能な、横材と、からなり、前記リング材の内側を前記保持空間としてあることを特徴とする。
また、本願の第３発明は、前記第１発明または第２発明において、前記防護壁の下部に接続して水中で展開される、スカートを更に具備したことを特徴とする。
また、本願の第４発明は、前記第１発明に記載の水上フェンスの構築方法であって、前記保全対象が、水面を挟んで上下に存する物体であり、構築前の前記防護壁の内側へと前記保全対象を導入してから、前記防護壁を構築し、前記防護壁の内側に、前記三本以上の長尺材をそれぞれ長手方向が異なるように取り付けて形成した前記保持空間に、前記保全対象を留め置いたことを特徴とする。
また、本願の第５発明は、前記第４発明において、前記保全対象が、投錨してある船舶のアンカーであることを特徴とする。
また、本願の第６発明は、前記第４発明または第５発明において、前記三本以上の長尺材のうち、少なくとも一本を除いた長尺材を予め防護壁に取り付けておき、前記防護壁の内側に前記保全対象を導入してから、残る長尺材を取り付けて、前記保持空間を形成することを特徴とする。
【発明の効果】
【０００７】
本発明によれば、以下に記載する効果のうち、少なくとも何れか１つの効果を有する。
（１）浮力体が、浮体、柱および壁を兼ねるため、施工コストの圧縮や現場での構築作業の時間圧縮に寄与する。
（２）浮力体の連結数を調整するだけで保全領域の面積調整を容易に実施することができ、比較的狭い場合での適用にも優れる。
（３）複数の浮力体のうち両端の浮力体を連結可能に構成することで、保全領域が閉塞空間となる現場での適用にも優れる。
（４）保全対象が既に水面を挟んで上下に存する物体（例：船舶から投錨したアンカー）である場合にも、水上フェンスを後付けで設置できる。
（５）位置決め材でもって形成した保持空間に保全対象を留め置くことで、保全対象に対して防護壁を所定の位置に維持させておくことができる。その結果、防護壁の位置を保持させるためのアンカーなどを別途用意する必要が無くなる。
（６）三本以上の長尺材のうち少なくとも一本を除いた長尺材を予め防護壁に取り付けておき、残る長尺材は、保全対象を保持空間に導入することで、水上フェンスの設置現場での長尺材の取付作業を少なくすることができる。
【図面の簡単な説明】
【０００８】
【図１】本発明に係る水上フェンスの全体構成を示す概略図。
【図２】浮力体の形状例を示す概略図。
【図３】拘束材の配置礼を示す概略図。
【図４】位置決め材のその他の例を示す概略図。
【図５】水上フェンスの構築方法の手順を示す概略図。
【図６】位置決め材のその他の構成例を示す概略図。
【図７】スカートを追加した構成を示す概略図。
【発明を実施するための形態】
【０００９】
以下、図面を参照しながら、本発明の実施例について説明する。
【実施例１】
【００１０】
＜１＞全体構成（図１）
本発明に係る水上フェンスＡは、水上の保全対象の周りを平面視して取り囲むように設置して保全領域Ｂを形成するための構造体である。
本発明において「保全対象」とは、周囲の物や者からの保全が要求されるあらゆるものが含まれる。
また、本発明において「保全領域Ｂ」とは、前記保全対象の保全が確保される程度の範囲で前記保全対象の周囲を区画してなる領域が含まれる。
本実施例では、保全対象を、既に投錨してある船舶ＸのアンカーＹを想定しており、保全領域Ｂを、前記アンカーＹに絡みついてアンカーＹの収納を遮る恐れのある漂流物などの物体や、前記アンカーＹを介して船舶Ｘへの侵入を試みる動物など、がアンカーＹに接近することの無いよう、アンカーＹの周囲を一定範囲区画した領域を想定している。
本発明に係る水上フェンスＡは、防護壁１０、拘束材２０、および位置決め材３０、を少なくとも具備して構成する。
以下、各要素の詳細について説明する。
【００１１】
＜２＞防護壁（図１）
防護壁１０は、前記保全対象の周囲に形成される保全領域Ｂを区画するように、水上に露出して壁を形成する構造物である。
防護壁１０の高さや深さは、保全対象の種類や、保全対象に影響を及ぼしうる想定要因（物または者）によって適宜決定することができる。
例えば、保全領域Ｂへの者の侵入を防ぎたい場合には、防護壁１０の水上からの高さを２ｍ以上に設定するなどしてもよい。
【００１２】
＜２．１＞浮力体（図１）
本実施例では、上下方向を長手方向とする長尺状の浮力体１１を複数並べて配置することで、防護壁１０を構成している。
浮力体１１は、後述する拘束材２０や、別途浮力体１１に設けてある連結具などを用いて互いに連結しておくことができる。
また、浮力体１１は、発泡スチロールなどの低比重の素材を用いて構成することができる。
さらに、浮力体１１の表面には、外部要因の影響で浮力体１１が破損したり、周囲の船舶Ｘなどと接触して船舶Ｘ側を破損させたりすることがないよう、ポリウレアなどの保護用塗料を塗布してコーティングしてもよい。
【００１３】
＜２．２＞浮力体の形状例（図２）
本発明において浮力体１１の形状は特段限定しない。
図２に、浮力体１１の形状例を示す。
図２（ａ）に示す浮力体１１は、円柱を略中央で切断した半円柱形状を呈している。
図２（ｂ）に示す浮力体１１は、円柱の底部を円形状のまま残しつつ、円柱の両側面を除去して略平板形状を呈している。
図２（ｃ）に示す浮力体１１は、側面視三角形状を呈し、外側にスロープ１１１を形成した形状を呈している。
図２（ｄ）に示す浮力体１１は、四角柱の底部を残しつつ、外側に逆スロープ１１２を形成するように切断した形状を呈している。本例のように逆スロープ１１２を設けておくと、防護壁１０が保全領域Ｂに対する者の侵入を防止することを目的とした場合などに効果的である。
【００１４】
＜２．３＞オイルフェンスとしての兼用
さらに、本発明では、浮力体１１の外表面に油の吸収が可能な素材などを巻き付けておいてもよい（図示せず）。
当該構成によれば、本発明に係る水上フェンスＡをオイルフェンスとしても使用することもできる。
【００１５】
＜３＞拘束材（図１，図３）
拘束材２０は、連結した複数の浮力体１１を拘束することにより、防護壁１０の平面形状の保持性を向上させるための部材である。
拘束材２０は、紐状、帯状などの長尺部材を用いることができる。
図３に、拘束材２０の構成例を示す。
図３（ａ）では、拘束材２０を、各浮力体１１の外面に設けたループ１２に挿通するベルト部材で構成しており、このベルト部材を緊張して長さ調整することで前記防護壁１０の周方向に緊張力を導入する。この緊張力により各浮力体１１は保全領域の中央側に引き寄せられて、防護体の平面形状が略円形状を保持するように拘束される。
図３（ｂ）では、拘束材２０を、各浮力体１１の側面方向に貫通形成した貫通孔１３に挿通するベルト部材で構成している。ベルト部材を用いた緊張力により防護体の平面形状を保持する点は前記した図３（ａ）と同様である。
【００１６】
また、拘束材２０の一部に弾性部を設けておくと、拘束材２０でもって防護壁１０の周方向に緊張力を導入した際に、当該弾性部の復元力を利用して、防護壁１０の平面形状の保持性をさらに向上させることもできる。
【００１７】
＜４＞位置決め材（図１，図４）
位置決め材３０は、保全領域Ｂの中で保全対象を所定の位置に留め置くための部材である。
位置決め材３０は、防護壁１０で囲まれる保全領域Ｂに架設可能な構成であれば良く、棒材、紐材、帯材などを用いることができる。
拘束材２０の構成例および使用方法について図１，４を参照しながら説明する。
【００１８】
＜４．１＞位置決め例１（図１）（長尺材による保持空間の形成）
図１では、位置決め材３０を、前記防護壁１０の内側で平面視して互いに交差するように、浮力体１１間または拘束材２０間に取り付ける、三本の長尺材３１で構成している。
長尺材３１で囲まれた略三角形状の空間に保全対象（図１ではアンカーＹに相当。）が位置するように各長尺材３１を取り付けることで、保全対象を、保全領域Ｂの略中央の位置に留め置くことができる。
【００１９】
＜４．２＞位置決め例２（図４）（リング材による保持空間の形成）
図４では、平面方向に開閉可能なゲート３２１を設けたリング材３２と、リング材３２から平面視放射方向に延伸して浮力体１１または拘束材２０に取り付け可能な横材３３とで、位置決め材３０を構成している。
リング材３２が保全領域Ｂの略中央に位置するように横材３３の長さを調整し、リング材３２のゲート３２１を開いて保全対象をリング材３２の中に導入することで、保全対象を、保全領域Ｂの略中央の位置に留め置く保持空間Ｃとしている。
【００２０】
＜５＞構築方法の手順例（図５）
次に、図５を参照しながら、本発明に係る水上フェンスＡの構築方法の一例について説明する。
なお、後述する各作業は、矛盾のない範囲で適宜順番を入れ換えたり、並行実施したりすることができる。
【００２１】
＜５．１＞水上フェンスの曳航（図５（ａ））
まず、保全対象である、船舶Ｘから投錨されたアンカーＹの投錨点Ｙ１まで、作業員Ｚ１が乗船している小型の作業船Ｚなどで水上フェンスＡを船上運搬または曳航する。
このとき、水上フェンスＡは、浮力体１１を展開した状態で運搬または曳航しても良いし、浮力体１１を仮組みした状態で曳航してもよい。
後者の場合には所定位置に到着した後に、防護壁１０を構成する浮力体１１の連結の一部を解いてから後述する保全領域の構築作業に進めば良い。
【００２２】
＜５．２＞防護壁による保全領域の構築（図５（ｂ））
所定位置に到着した後には、作業員Ｚ１が投錨点Ｙ１を取り囲むように浮力体１１を組み立てて、保全領域Ｂを区画する防護壁１０を構築する。このとき、拘束材２０を軽く緊張して防護壁１０の形状を整えてもよい。
【００２３】
＜５．３＞保全対象の位置決め作業（図５（ｃ））
隣りあう浮力体１１間の隙間から、長尺材３１を差しこみ、差し込んだ長尺材３１の先端を、長尺材３１の差込先の対向側にある浮力体１１間の隙間に露出している拘束材２０に係留する。
この長尺材３１の差込作業を異なる方向から少なくとも三回行い、各長尺材３１で囲まれた空間に保全対象（投錨点Ｙ１）が留め置かれるようにする。
【００２４】
＜５．４＞最終の形状調整（図示せず）
最後に、拘束材２０や長尺材３１の長さ調整を行って、投錨点Ｙ１が防護壁１０の略中央に位置するように防護壁１０の形状を整えて、水上フェンスＡの構築を完了する。
【００２５】
＜６＞機能・作用
このように、本発明に係る水上フェンスＡによれば、浮力体１１が保全対象周辺への侵入を防ぐ壁材としても機能するため、簡便かつ安価に所定の場所に防護壁１０を構築することができる。また、船舶Ｘから投錨したアンカーＹのように、保全対象が既に水面を挟んで上下に連続する物体である場合にも、その周囲に水上フェンスＡを後付けで設置することができる。
【実施例２】
【００２６】
［予め長尺材の一部を取り付けた構成］
図６を参照しながら、本発明の第２実施例について説明する。
本発明に係る水上フェンスＡでは、位置決め材３０を構成する三本以上の長尺材３１について、少なくとも一本を除いた長尺材３１を予め防護壁１０に、長さ調整可能な態様で取り付けておいてもよい。
この場合、図６（ａ）に示すように、予め取り付けてある長尺材３１ａの長さを緩めて閉塞した保持空間Ｃが形成されてない状態で保全対象を導入し、その後、図６（ｂ）に示すように残る長尺材３１ｂを取り付けて保持空間Ｃを閉塞し、全ての長尺材３１ａ、３１ｂの長さを再度調整して防護壁１０を構築すればよい。
【実施例３】
【００２７】
［スカートの追加］
図７を参照しながら、本発明の第３実施例について説明する。
本発明に係る水上フェンスＡでは、防護壁１０の下部に接続して水中で展開されるスカート４０をさらに具備してもよい。
例えば、図７では、浮力体１１の下端とスカートの上縁を別途連結し、スカート４０の下縁には、新たに錘４１を吊設するなどして、水中の深さ方向にスカート４０が確実に展開されるよう構成している。
このスカート４０を設けることにより、水中を漂う漂流物や、潜水者などの保全領域Ｂへの侵入を防ぐことができる。
また、スカート４０を設けた水上フェンスＡは、汚濁の拡散を防止するための汚濁防止膜としても機能することができる。
【符号の説明】
【００２８】
Ａ      水上フェンス
Ｂ      保全領域
Ｃ      保持空間
Ｘ      船舶
Ｙ      アンカー
Ｙ１    投錨点
Ｚ      作業船
Ｚ１    作業員
１０    防護壁
１１    浮力体
１１１  スロープ
１１２  逆スロープ
１２    ループ
１３    貫通孔
２０    拘束材
３０    位置決め材
３１    長尺材
３２    リング材
３２１  ゲート
３３    横材
４０    スカート
４１    錘
【要約】
【課題】比較的狭い保全領域において、低コストで水上フェンスを構築可能な手段を提供すること。
【解決手段】上下方向を長手方向とする浮力体１１を複数並べて配置してなる防護壁１０と、複数の浮力体１１を展開および組立が自在な態様で連結しつつ防護壁１０の周方向に緊張力を導入可能な拘束材２０と、防護壁２０の内側に保全対象Ｂを留め置くための保持空間Ｃを形成する位置決め材３０とを少なくとも具備した水上フェンスＡである。複数の浮力体１１を水上で組み立てることで、保全対象がアンカーＹのように水面を挟んで上下に連続する物体である場合でも水上フェンスＡの後付けが可能となる。また、拘束材２０で防護壁１０の周方向に緊張力を導入することで、強固な防護壁１０を構築することもできる。
【選択図】図１【図１】
0006659904.tif 000002
【図２】
0006659904.tif 000003
【図３】
0006659904.tif 000004
【図４】
0006659904.tif 000005
【図５】
0006659904.tif 000006
【図６】
0006659904.tif 000007
【図７】
0006659904.tif 000008